(57)【要約】【課題】使い捨てであると共に、耐久性と拭取性とに優れる清掃体を得る。【解決手段】水溶性のシート２ａを円筒状のロール体２ｂに緩く巻回し、その後に上部は硬く締め付けられた円柱状の取付部２ｃとされ、下部は円錐台形状とされた柔らかな清掃部２ｄとされている。  清掃部２ｄの下端面２ｅの清掃対象面に接する部分は、清掃対象面から汚れを拭き取る部分であり、下端面２ｅの清掃対象面に接しない部分は拭き取った汚れを隙間に絡め取る部分である。  渦巻状の下端面２ｅは、清掃対象面上にある汚れに対し、清掃対象面上のどのような方向に移動しても、清掃対象面に接する部分と接しない部分との双方を通過させることができるため、拭取性に優れるものとなる。更に、清掃部２ｄはその周側面２ｆも拭取機能を有している。【選択図】図４
2020151344.tif 000002
【特許請求の範囲】
【請求項１】
清掃用具の柄部に着脱可能に取り付ける清掃体であって、
シートを渦巻状に巻回したロール体の上部を前記柄部への取付部とし、前記ロール体の下部を清掃部としたことを特徴とする清掃体。
【請求項２】
前記清掃部の下端面の渦巻状のシートの層を主たる清掃面としたことを特徴とする請求項１に記載の清掃体。
【請求項３】
前記取付部の上端において露出するシートの層数と、前記清掃部の下端面において露出するシートの層数とが同一であることを特徴とする請求項２に記載の清掃体。
【請求項４】
前記ロール体の上部の取付部は、前記ロール体を絞って形成したことを特徴とする請求項２又は３に記載の清掃体。
【請求項５】
前記取付部のみを偏平状、又は全体を偏平状にしたことを特徴とする請求項１〜４の何れか１項に記載の清掃体。
【請求項６】
前記シートの展開平面形状は直角三角形したことを特徴とする請求項１又は２に記載の清掃体。
【請求項７】
前記シートの展開平面形状はＬ字状としたことを特徴とする請求項１又は２に記載の清掃体。
【請求項８】
前記シートは水溶性であることを特徴とする請求項１〜７の何れか１項に記載の清掃体。
【請求項９】
前記シートに洗浄剤を含浸又は保持させたことを特徴とする請求項１〜８の何れか１項に記載の清掃体。
【請求項１０】
前記シートには凹凸状のエンボスを設けたことを特徴とする請求項１〜９の何れか１項に記載の清掃体。
【請求項１１】
請求項１〜１０に記載の清掃体を、前記柄部に着脱自在に取り付けることを特徴とする清掃用具。
【発明の詳細な説明】
【技術分野】
【０００１】
本発明は、柄部に取り付けて、例えばトイレの便器等の清掃に好適に使用し得る清掃体に関するものである。
【背景技術】
【０００２】
トイレや風呂等の水回りの清掃には、種々の獣毛や、植物繊維、合成樹脂による毛などを、柄部又は板面に多数植え付けたブラシや、長い柄部の先にスポンジや不織布を取り付けたモップ等の清掃具が使用されている。これらの清掃具の多くは、使用者が把持するための柄部と、清掃対象面の汚れを拭き取るための清掃部とを備えている。
【０００３】
そして、このような清掃具の中には、清掃部が交換式であったり、更には使い捨てるものが知られている。例えば、特許文献１に示すブラシヘッドは、水溶性材料から成るシートが積層された積層体を備え、この積層体の分離された柔らかな前端部により清掃がなされる。
【０００４】
この従来のブラシヘッドは、水溶性材料から成ることから、トイレに流しても配管等を詰まらせることがないため、使用後はトイレを介して下水に放流することができる。
【先行技術文献】
【特許文献】
【０００５】
【特許文献１】特表２００６−５２５０３８号公報
【発明の概要】
【発明が解決しようとする課題】
【０００６】
しかし、この種の従来のブラシヘッドにあっては、汚れの拭取性を高めるために、清掃部をなす積層体は細条状に分離されている。このため、積層体を清掃対象面に押し付けると、このときに生ずる荷重に個々の細条が抗うことができずに、撓んで潰れてしまい、拭取性の低下が避けられない。
【０００７】
更に、このような拭取性の低下は、水溶性材料でもあることから、水に触れることにより更に顕著なものとなる。また、積層体は移動方向によって拭取性が異なり、使い勝手が良くない。
【０００８】
このように、このブラシヘッドは耐久性がなく、十分な拭取性を維持できないという問題がある。
【０００９】
本発明の目的は、上述の課題を解決し、使い捨てであると共に、耐久性と拭取性とに優れる清掃体を提供することにある。
【課題を解決するための手段】
【００１０】
上記課題を解決するための本発明に係る清掃体は、清掃用具の柄部に着脱可能に取り付ける清掃体であって、水溶性のシートを渦巻状に巻回したロール体の上部を小径にして前記柄部への取付部とし、前記ロール体の下部を大径として清掃部としたことを特徴とする。
【発明の効果】
【００１１】
本発明に係る清掃体は、耐久性に優れ、どの方向に移動しても同様な拭取性が得られ、使用後の交換も容易である。
【図面の簡単な説明】
【００１２】
【図１】清掃用具の側面図である。
【図２】清掃体を柄部から外した状態の清掃用具の側面図である。
【図３】清掃体を上方から見た斜視図である。
【図４】清掃体を下方から見た斜視図である。
【図５】シートの展開平面図である。
【図６】ロール体の斜視図である。
【図７】シートの展開平面図である。
【図８】ロール体の斜視図である。
【図９】シートの展開平面図である。
【図１０】ロール体の斜視図である。
【図１１】シートの展開平面図である。
【図１２】ロール体の斜視図である。
【図１３】取付部を偏平状にした清掃体の斜視図である。
【図１４】全体を偏平状にした清掃体の斜視図である。
【図１５】取付部を偏平状にした清掃体の斜視図である。
【図１６】全体を偏平状にした清掃体の斜視図である。
【発明を実施するための形態】
【００１３】
本発明を図示の実施例に基づいて詳細に説明する。
図１は実施例の清掃用具の使用状態の側面図、図２は清掃体を柄部から外した状態の側面図である。清掃用具１は、清掃体２と、この清掃体２を取り付ける柄部３とから構成されている。
【００１４】
清掃体２は柄部３に着脱自在とされており、使用者は柄部３を持って、清掃体２により清掃対象面の汚れを拭き取る。
【００１５】
図３は清掃体２を上方から見た斜視図、図４は下方から見た斜視図である。清掃体２は下端の径が２〜５ｃｍ、高さは４〜１０ｃｍ程度であり、その大きさは清掃対象に応じて、適宜の大きさのものを用意し、使用する。
【００１６】
清掃体２は水にほぐれ易い、つまり水に溶解し易い水溶性のシート２ａから成る層が、巻回により渦巻状に積層されている。シート２ａの材料としては、例えば紙又は不織布が挙げられるが、不織布が好ましい。シート２ａの原料としては、例えば天然繊維、再生繊維若しくは合成繊維、或いはこれらの混合繊維があり、これらのうち天然繊維及び再生繊維の混合繊維が好ましく、特にパルプとレーヨンとの混合繊維が好適である。このシート２ａの材料は、水溶性のものであれば特に限定されることはない。
【００１７】
シート２ａには拭取性、洗浄性を向上させるために、界面活性剤等の洗浄剤を含浸、或いは表面に粉状の洗浄剤を保持するようにしてもよい。粉状の洗浄剤を保持する方法としては、例えばロール状にするシート２ａの表面に単に振り掛けた状態であってもよいし、シート２ａを二つ折りにし、シート２ａ間に挟持させるようにしてもよいし、水溶性の接着剤を介して塗布するようにしてもよい。更には、洗浄剤は清掃対象面に接触するシート２ａの下面のみに含浸又は保持するようにしてもよい。
【００１８】
この清掃体２の製造に際しては、先ず図５に示すような長尺の長方形のシート２ａの１枚又は複数枚を、図６に示すように円筒状のロール体２ｂに巻回する。このように巻回した後に、図３、図４に示すように、上部を硬く締め付けられて円柱状の取付部２ｃとすることで清掃体２が完成する。
【００１９】
清掃体２の下部は、円錐台形状の柔らかな清掃部２ｄとされている。ロール体２ｂを絞った状態である取付部２ｃの径は、ロール体２ｂの径よりも小さく、１〜３ｃｍ程度の径とすることが好ましい。
【００２０】
取付部２ｃのロール体２ｂの絞った状態を保持するために、周囲を水溶性の接着剤により固定されている。接着剤以外にも例えば水溶性の紐等で巻いたり、結んだりしてもよく、これらの手段と接着剤とを組み合わせてもよい。
【００２１】
このように取付部２ｃを絞ると、ロール体２ｂの下部の清掃部２ｄの形状は円錐台形状又は釣鐘形状となり、取付部２ｃの層の密度は、清掃部２ｄの層の密度よりも密となり、取付強度が向上する。これは、取付部２ｃの面において露出する層の数と、清掃部２ｄの下端面２ｅにおいて露出する層の数とが同一であるにも拘わらず、取付部２ｃの径が清掃部２ｄの径よりも小さいためである。
【００２２】
この取付部２ｃは、清掃体２を柄部３に取り付けるための部分であり、柄部３との連結性を考慮すると、取扱性が良好で、かつ強度を有することが好ましい。
【００２３】
清掃部２ｄの下端面２ｅは主たる清掃面であり、シート２ａが渦巻状に積層されており、層間に生ずる間隙も同様に渦巻状とされている。
【００２４】
そして、このような下端面２ｅが清掃対象面に接すると、シート２ａの層は清掃対象面に接する部分となり、シート２ａ間の間隙は清掃対象面に接しない部分となる。下端面２ｅの清掃対象面に接する部分は清掃対象面から汚れを拭き取るための部分として機能し、下端面２ｅの清掃対象面に接しない部分は拭き取った汚れを隙間に絡め取るための部分として機能する。
【００２５】
このように構成された下端面２ｅは、清掃対象面上にある汚れに対し、清掃対象面上のどのような方向に移動しても、清掃対象面に接する部分と接しない部分との双方を通過させることができるため、拭取性に優れたものとなる。
【００２６】
また、下端面２ｅにおいて積層されているシート２ａの層は、層同士が互いに支え合う構造となるため、下端面２ｅに荷重がかかっても押し潰れ難く、下端面２ｅは耐久性と拭取性とに優れている。
【００２７】
例えば、トイレの便器にこびり付いた汚物の清掃の場合に、従来の清掃体であれば便器に対して強く押し付けながら擦り付けるとシートが拡がり過ぎてしまい拭取性が低下してしまう。これに対して、清掃体２は便器に対して強く押し付けたとしても、拡がり過ぎることなく形状を保持して汚物をシート２ａ間の間隙に絡め取ることができる。
【００２８】
図５に示すように、シート２ａが長方形である場合には、ロール体２ｂは図６に示す円柱形状に形成されるのに対して、例えば図７に示すように直角三角形である場合には、その短辺を軸として巻回する。この場合に得られるロール体２ｂの立体形状は、図８に示すような円錐形状となる。この場合には、頂部付近が取付部２ｃとなり、底面が下端面２ｅとなって、これらの取付部２ｃと下端面２ｅとの間が、清掃部２ｄであり、周側面２ｆとなる。
【００２９】
また、シート２ａの展開平面形状が、例えば図９に示すような略Ｌ字形の場合には、得られるロール体２ｂの立体形状は、図１０に示すようになる。つまり、大径の円柱２ｇと、この円柱２ｇと中心軸を同じとする小径の円柱２ｈとが、上下に接続された形状となる。この場合には、円柱２ｈが取付部２ｃとなり、円柱２ｇが清掃部２ｄとなり、その底面が下端面２ｅとなって、周囲が周側面２ｆとなる。
【００３０】
更に、シート２ａの展開平面形状が、例えば図１１に示すように、図９の略Ｌ字形に対し更に上辺に斜辺部を有する場合には、得られるロール体２ｂの立体形状は図１２に示すようになる。つまり、円柱２ｇ、２ｈの他に、これらの円柱２ｇ、２ｈ間を結ぶテーパ面２ｉが形成されることになる。この場合には、円柱２ｈが取付部２ｃとなり、テーパ面２ｉ、円柱２ｇが清掃部２ｄとなり、円柱２ｇの底面が下端面２ｅとなって、テーパ面２ｉ、円柱２ｇの周囲が周側面２ｆとなる。
【００３１】
このように、シート２ａの平面形状を選択した上で、どの辺を軸として巻回するかを適宜組み合わせることにより、所望の立体形状のロール体２ｂを得ることができる。
【００３２】
ただし、図８、図１０、図１２に示すロール体２ｂでは、図３、図４に示すような取付部２ｃを絞る工程を要することなく、取付部２ｃの径が下端面２ｅの径よりも小さなロール体２ｂを得ることになる。しかし、これらの取付部２ｃは、柄部３への取り付けに際し、取付部２ｃとしての強度を有することが必要であり、そのために巻回数を調整したり、接着剤の使用などの措置をしなければならない場合もある。
【００３３】
図１３は図３、図４の取付部２ｃのみをプレス機等で圧縮し、取付部２ｃを偏平状にした清掃体２の斜視図であり、図１４は全体を圧縮し、清掃部２ｄを含めて偏平状にした清掃体２の斜視図である。
【００３４】
取付部２ｃを偏平状にすることで、横広の形状の柄部３の連結部３ａに対する保持が容易であり、柄部３から清掃体２が外れ難くなる。また、清掃部２ｄを偏平状にすることで、清掃に際して狭い清掃場所であっても清掃部２ｄを挿入して拭き取ることができる。
【００３５】
図１５は図６の円筒状のロール体２ｂの上部のみをプレス機等で圧縮し、取付部２ｃのみを偏平状にした清掃体２の斜視図であり、図１６は図６の円筒状のロール体２ｂをプレス機等で圧縮し、全体を偏平状にした清掃体２の斜視図である。
【００３６】
図１５、図１６の清掃体２は、図１３、図１４の清掃体２よりも取付部２ｃが横広形状となり、更に横広の柄部３の連結部３ａに対して、保持が容易となる形状をしている。
【００３７】
また、シート２ａとして、エンボス加工をしたエンボス加工済みシート２ａを使用することができる。このエンボス加工済みシート２ａは、その表面又は裏面又は両面において凹凸部を離隔的に有している。この凹凸部の形状としては、直線状又は曲線状であってもよく、方形状又は円形状であってもよいが、拭取性を向上させるためには円形状又は方形状が好ましい。なお、例えば２枚のシート２ａを重ねて巻回する場合には、シート２ａを重ねてからエンボス加工をしてもよいし、エンボス加工済みのシート２ａを重ねてもよい。
【００３８】
このエンボス加工により、清掃体２には次の利点がもたらされる。第１に、清掃体２の周側面２ｆにも凹凸部を設けることができ、周側面２ｆにおいて拭取性が向上する。第２に、シート２ａが巻回されて積層される際に、シート２ａの表面や裏面に形成された凹凸部が互いに干渉し合う結果、得られるロール体２ｂにおいて、シート２ａ同士の層間に生ずる間隙の幅を大きくすることができ、この大きさを凹凸部により維持することができる。
【００３９】
柄部３は清掃体２を着脱可能に保持する連結部３ａと、この連結部３ａと連結した把持部３ｂとから構成されている。連結部３ａは、その先端に清掃体２を着脱可能に連結し、使い勝手を良くするために稍々湾曲した円筒状の部材である。把持部３ｂは、使用者が把持するための棒状部材であり、その長さや太さは使用者が把持し易いものであれば、特に限定されない。
【００４０】
図１に示すように、清掃体２を柄部３に取り付けると、清掃用具１が得られる。清掃体２の取り付けは、例えば柄部３側の連結部３ａの先端がクリップ機構であれば、この挟持片間に清掃体２の取付部２ｃを挟持する。また、嵌合機構であれば、取付部２ｃを連結部３ａに設けられた孔部に挿入して嵌合すればよい。
【００４１】
又は、連結部３ａの先端はばねにより挟み込む挟持構造を備え、把持部３ｂに設けたボタン部を押圧したときにばねに抗して挟持構造が開く構造を採用することもできる。この場合には、ボタン部を押圧した状態で、清掃体２を取り外し、取り付けを行うことになる。
【００４２】
清掃用具１を使用するに際しては、柄部３を把持して、清掃体２の下端面２ｅ、周側面２ｆを清掃対象面に当接し、清掃体２が清掃対象面上を摺擦するように移動させる。
【００４３】
このとき、特に清掃体２の下端面２ｅにおいて、渦巻状の軌跡を描くシート２ａの層と、これらの層間に生じ、同様に渦巻状の軌跡を描く間隙とが相俟って、優れた拭取性を発揮でき、下端面２ｅをどの方向に移動させても拭取性に変わりはない。また、シート２ａが渦巻状に積層されていることから、層同士が互いに支え合うため、下端面２ｅに荷重がかかっても押し潰れ難い。
【００４４】
また、シート２ａに洗浄剤を含ませた場合には、洗浄剤が溶け出して洗浄性を向上することから、より効果的に清掃対象面を清掃することができる。
【００４５】
使用した後は、汚れた清掃体２を柄部３から取り外し、トイレを介して下水に放流する。このとき、清掃体２は水にほぐれ易いシート２ａから成るため、配管等を詰まらせることがなく、使い捨てることができる。
【００４６】
また、本実施例では水溶性の清掃体２について説明したが、必ずしも水溶性である必要はない。水溶性でないシート２ａから成る清掃体２を、例えばハンディタイプの柄部に取り付けて、清掃対象として台所のシンク等を清掃することが可能である。この場合には清掃体２の使用後に、ごみ箱等に破棄することになる。
【符号の説明】
【００４７】
１  清掃用具
２  清掃体
２ａ  シート
２ｂ  ロール体
２ｃ  取付部
２ｄ  清掃部
２ｅ  下端面
２ｆ  周側面
２ｇ  大径円柱
２ｈ  小径円柱
２ｉ  テーパ面
３  柄部
３ａ  把持部
３ｂ  連結部
【図１】
2020151344.tif 000003
【図２】
2020151344.tif 000004
【図３】
2020151344.tif 000005
【図４】
2020151344.tif 000006
【図５】
2020151344.tif 000007
【図６】
2020151344.tif 000008
【図７】
2020151344.tif 000009
【図８】
2020151344.tif 000010
【図９】
2020151344.tif 000011
【図１０】
2020151344.tif 000012
【図１１】
2020151344.tif 000013
【図１２】
2020151344.tif 000014
【図１３】
2020151344.tif 000015
【図１４】
2020151344.tif 000016
【図１５】
2020151344.tif 000017
【図１６】
2020151344.tif 000018